(57)【要約】      （修正有）【課題】可視性とＲＣ負荷とを両立でき、より良いインピーダンスマッチングを達成することが可能なタッチ表示装置及びタッチ基板を提供する。【解決手段】複数の第１タッチパターンは、第１基板１１に配置され、複数のブリッジユニット１２１と複数の第１電極部１２２とを有し、複数の第１電極部１２２は互いに間隔を置いて配置され、複数のブリッジユニット１２１は隣接する２つの第１電極部１２２に接続されている。複数のブリッジユニット１２１のうちの少なくとも１つのブリッジユニットは、２つの第１部分Ｐ１と、１つの第２部分Ｐ２と、２つの第３部分Ｐ３とを有する。２つの第１部分は、複数の第１電極部に直接接触して複数の第１電極部上に位置し、２つの第３部分は、２つの第１部分の間に位置し、第２部分は、２つの第３部分の間に位置し、第１部分は第１の幅を有し、第２部分は第２の幅を有し、第１の幅が第２の幅より大きい。【選択図】図１Ｅ
2016001460.tif 000002
【特許請求の範囲】
【請求項１】
タッチ表示装置であって、
第１基板と、複数の第１タッチパターンと、第２基板と、液晶層とを含み、
複数の前記第１タッチパターンは、前記第１基板に配置され、複数のブリッジユニットと複数の第１電極部とを有し、複数の前記第１電極部は互いに間隔を置いて配置され、複数の前記ブリッジユニットは隣接する２つの前記第１電極部に接続され、
前記第２基板は、前記第１基板に対向して設けられ、
前記液晶層は、前記第１基板と前記第２基板との間に配置され、
複数の前記ブリッジユニットのうちの少なくとも１つのブリッジユニットは、２つの第１部分と、１つの第２部分と、２つの第３部分とを有し、２つの前記第１部分は、複数の前記第１電極部に直接接触して複数の前記第１電極部上に位置し、２つの前記第３部分は、２つの前記第１部分の間に位置し、前記第２部分は、２つの前記第３部分の間に位置し、前記第１部分は第１の幅を有し、前記第２部分は第２の幅を有し、前記第１の幅が前記第２の幅より大きいことを特徴とするタッチ表示装置。
【請求項２】
複数の第２タッチパターンと、複数の絶縁ユニットとをさらに含み、
複数の前記第２タッチパターンは、前記第１基板に配置され、複数の前記第１タッチパターンから電気的に絶縁され、複数の接続部と複数の第２電極部とを有し、複数の前記第２電極部は、互いに間隔を置いて配置され、複数の前記第２電極部及び複数の前記第１電極部は、互いに間隔を置いて交互に配置され、複数の前記接続部のうち１つの接続部は、隣接する２つの前記第１電極部に接続され、
複数の前記絶縁ユニットは、複数の前記接続部に対応してその上に配置され、複数の前記ブリッジユニットは、複数の前記絶縁ユニット上に配置されることを特徴とする請求項１に記載のタッチ表示装置。
【請求項３】
複数の前記第１電極部と複数の前記第２電極部とが、同一層で形成されていることを特徴とする請求項２に記載のタッチ表示装置。
【請求項４】
複数の前記第１タッチパターンと複数の前記第２タッチパターンとが交差して配置されることを特徴とする請求項２に記載のタッチ表示装置。
【請求項５】
前記第２部分は、前記絶縁ユニット上に位置することを特徴とする請求項２に記載のタッチ表示装置。
【請求項６】
前記第１部分は、第１の長さを有し、前記第２部分は、第２の長さを有し、前記第２の長さが第１の長さより大きいことを特徴とする請求項１に記載のタッチ表示装置。
【請求項７】
前記第３部分は、前記第１の長さに実質的に平行な方向に第３の長さを有し、前記第１の長さが前記第３の長さより大きく、前記第２の長さが２つの前記第１の長さと２つの前記第３の長さとの和よりも大きいことを特徴とする請求項６に記載のタッチ表示装置。
【請求項８】
前記第３部分と前記第１電極部とのなす角度が１５度〜４０度の範囲にあることを特徴とする請求項１に記載のタッチ表示装置。
【請求項９】
前記第１部分は、前記第１基板に垂直な方向に少なくとも１つの円弧形状を有することを特徴とする請求項１に記載のタッチ表示装置。
【請求項１０】
複数の前記第１タッチパターン及び複数の前記第２タッチパターンは、前記第１基板の前記第２基板から離れた側に位置することを特徴とする請求項２に記載のタッチ表示装置。
【請求項１１】
第３基板をさらに含み、
前記第３基板は、前記第１基板と前記第２基板との間に位置し、前記液晶層は、前記第２基板と前記第３基板との間に挟持され、複数の前記第１タッチパターン及び複数の前記第２タッチパターンは、前記第１基板の前記第３基板に面する側に位置することを特徴とする請求項２に記載のタッチ表示装置。
【請求項１２】
タッチ基板であって、
基板と、複数の第１タッチパターンとを含み、
複数の前記第１タッチパターンは、前記基板に配置され、複数のブリッジユニットと複数の第１電極部とを有し、複数の前記第１電極部は互いに間隔を置いて配置され、複数の前記ブリッジユニットは隣接する２つの前記第１電極部に接続され、
複数の前記ブリッジユニットのうちの少なくとも１つのブリッジユニットは、２つの第１部分と、１つの第２部分と、２つの第３部分とを有し、２つの前記第１部分は、複数の前記第１電極部に直接接触して複数の前記第１電極部上に位置し、２つの前記第３部分は、２つの前記第１部分の間に位置し、前記第２部分は、２つの前記第３部分の間に位置し、前記第１部分は第１の幅を有し、前記第２部分は第２の幅を有し、前記第１の幅が前記第２の幅より大きいことを特徴とするタッチ基板。
【請求項１３】
複数の第２タッチパターンと、複数の絶縁ユニットとをさらに含み、
複数の前記第２タッチパターンは、前記基板に配置され、複数の前記第１タッチパターンから電気的に絶縁され、複数の接続部と複数の第２電極部とを有し、複数の前記第２電極部は、互いに間隔を置いて配置され、複数の前記第２電極部及び複数の前記第１電極部は、互いに間隔を置いて交互に配置され、複数の前記接続部のうち１つの接続部は、隣接する２つの前記第１電極部に接続され、
複数の前記絶縁ユニットは、複数の前記接続部に対応してその上に配置され、複数の前記ブリッジユニットは、複数の前記絶縁ユニット上に配置されることを特徴とする請求項１２に記載のタッチ基板。
【請求項１４】
複数の前記第１電極部と複数の前記第２電極部とが、同一層で形成されていることを特徴とする請求項１３に記載のタッチ基板。
【請求項１５】
複数の前記第１タッチパターンと複数の前記第２タッチパターンとが交差して配置されることを特徴とする請求項１３に記載のタッチ基板。
【請求項１６】
前記第２部分は、前記絶縁ユニット上に位置することを特徴とする請求項１３に記載のタッチ基板。
【請求項１７】
前記第１部分は、第１の長さを有し、前記第２部分は、第２の長さを有し、前記第２の長さが第１の長さより大きいことを特徴とする請求項１２に記載のタッチ基板。
【請求項１８】
前記第３部分は、前記第１の長さに実質的に平行な方向に第３の長さを有し、前記第１の長さが前記第３の長さより大きく、前記第２の長さが２つの前記第１の長さと２つの前記第３の長さとの和よりも大きいことを特徴とする請求項１７に記載のタッチ基板。
【請求項１９】
前記第３部分と前記第１電極部とのなす角度が１５度〜４０度の範囲にあることを特徴とする請求項１２に記載のタッチ基板。
【請求項２０】
前記第１部分は、前記基板に垂直な方向に少なくとも１つの円弧形状を有することを特徴とする請求項１２に記載のタッチ基板。
【発明の詳細な説明】
【技術分野】
【０００１】
本発明は、タッチ表示装置及びタッチ基板に関するものである。
【背景技術】
【０００２】
技術の進歩に伴い、タッチ技術は様々な電子製品に幅広く用いられている。タッチ表示装置は、ユーザーはタッチ表示装置の表示画面をタッチすることにより各種操作を行えるため、操作が簡略化されており、ユーザーに愛用されている。
【０００３】
タッチ表示装置は、一般に、アウトセル（Ｏｕｔ−Ｃｅｌｌ）型タッチ表示装置、又はオンセル（Ｏｎ−Ｃｅｌｌ）型タッチ表示装置を含む。アウトセル型タッチ表示装置の態様では、タッチ感知回路が形成される基板と、表示パネルと組み合わせによって、タッチ表示パネルが構成される。オンセル型タッチ表示装置の態様では、例えば、その上にタッチ感知回路が直接形成されるカラーフィルタ基板の透明基板と、薄膜トランジスタとの組み合わせによって、タッチ表示パネルが構成される（この間に液晶層が挟持されてもよい）。
【０００４】
従来のタッチ感知回路は、複数の駆動電極と複数の感知電極とを含み、複数の駆動電極及び複数の感知電極は、互いに交差して電気的に絶縁される。複数の駆動電極及び複数の感知電極が互いに交差しても電気的に絶縁されるために、タッチ電極の上に跨るインピーダンスの小さな金属層によって、隣接する２つの感知電極が電気的に接続される。このように、橋渡しした金属層は、全体の幅が大きくなると、感知電極のＲＣ負荷（ｌｏａｄｉｎｇ）が小さくなって信号の伝送に影響を比較的与えない。しかし、金属層は一般的に不透明材料であるため、タッチ表示装置の可視性に影響を与える。一方、橋渡しした金属層は、全体の幅が小さくなると、タッチ表示装置の可視性に影響を与えないが、感知電極のＲＣ負荷が大きくなるため、信号の伝送に影響を与える。
【先行技術文献】
【特許文献】
【０００５】
【特許文献１】米国公開公報第２００５／０３００４８号
【発明の概要】
【発明が解決しようとする課題】
【０００６】
本発明は、上記の点に鑑みてなされたものであって、タッチ表示装置及びタッチパネルの可視性とＲＣ負荷とを両立でき、より良いインピーダンスマッチングを達成することが可能なタッチ表示装置及びタッチ基板を提供することを目的とする。
【課題を解決するための手段】
【０００７】
上述した目的を達成するために、本発明のタッチ表示装置は、第１基板と、複数の第１タッチパターンと、第２基板と、液晶層とを含んでいる。複数の第１タッチパターンは、第１基板に配置され、複数のブリッジユニットと複数の第１電極部とを有し、複数の第１電極部は互いに間隔を置いて配置され、複数のブリッジユニットは隣接する２つの第１電極部に接続されている。第２基板は、第１基板に対向して設けられている。液晶層は、第１基板と第２基板との間に配置されている。複数のブリッジユニットのうちの少なくとも１つのブリッジユニットは、２つの第１部分と、１つの第２部分と、２つの第３部分とを有し、２つの第１部分は、複数の第１電極部に直接接触して複数の第１電極部上に位置し、２つの第３部分は、２つの第１部分の間に位置し、第２部分は、２つの第３部分の間に位置し、第１部分は第１の幅を有し、第２部分は第２の幅を有し、第１の幅が第２の幅より大きい。
【０００８】
上述した目的を達成するために、本発明のタッチ基板は、基板と、複数の第１タッチパターンとを含んでいる。複数の第１タッチパターンは、基板に配置され、複数のブリッジユニットと複数の第１電極部とを有し、第１電極部は互いに間隔を置いて配置され、複数のブリッジユニットは隣接する２つの第１電極部に接続されている。複数のブリッジユニットのうちの少なくとも１つのブリッジユニットは、２つの第１部分と、１つの第２部分と、２つの第３部分とを有し、２つの第１部分は、複数の第１電極部に直接接触して複数の第１電極部上に位置し、２つの第３部分は、２つの第１部分の間に位置し、第２部分は、２つの第３部分の間に位置し、第１部分は第１の幅を有し、第２部分は第２の幅を有し、第１の幅が第２の幅より大きい。
【０００９】
一実施形態において、タッチ表示装置は、複数の第２タッチパターンと、複数の絶縁ユニットとをさらに含んでいる。複数の第２タッチパターンは、第１基板に配置され、複数の第１タッチパターンから電気的に絶縁され、複数の接続部と複数の第２電極部とを有し、複数の第２電極部は、互いに間隔を置いて配置され、複数の第２電極部及び複数の第１電極部は、互いに間隔を置いて交互に配置され、複数の接続部のうち１つの接続部は、隣接する２つの第１電極部に接続されている。複数の絶縁ユニットは、複数の接続部に対応してその上に配置され、複数のブリッジユニットは、複数の絶縁ユニット上に配置される。
【００１０】
一実施形態において、複数の第１電極部と複数の第２電極部とが、同一層で形成されている。
【００１１】
一実施形態において、複数の第１タッチパターン及び複数の第２ダッチパターンは、それぞれ交差して配置されている。
【００１２】
一実施形態において、第２部分は、絶縁ユニット上に位置している。
【００１３】
一実施形態において、第１の長さを有し、第２部分は、第２の長さを有し、第２の長さが第１の長さより大きい。
【００１４】
一実施形態において、第３部分は、第１の長さに実質的に平行な方向に第３の長さを有し、第１の長さが第３の長さより大きく、第２の長さが２つの第１の長さと２つの第３の長さとの和よりも大きい。
【００１５】
一実施形態において、第３部分と第１電極部とのなす角度が１５度〜４０度の範囲にある。
【００１６】
一実施形態において、第１部分は、第１基板に垂直な方向に少なくとも１つの円弧形状を有している。
【００１７】
一実施形態において、複数の第１タッチパターン及び複数の第２タッチパターンは、第１基板の第２基板から離れた側に位置している。
【００１８】
一実施形態において、タッチ表示装置は、第３基板をさらに含み、
第３基板は、第１基板と第２基板との間に位置し、液晶層は、第２基板と第３基板との間に挟持され、複数の第１タッチパターン及び複数の第２タッチパターンは、第１基板の第３基板に面する側に位置している。
【発明の効果】
【００１９】
上記のように、本発明のタッチ表示装置及びタッチ基板において、複数の第１タッチパターンは、第１基板に配置され、複数のブリッジユニットと複数の第１電極部とを有し、複数の第１電極部は互いに間隔を置いて配置され、複数のブリッジユニットは隣接する２つの第１電極部に接続され、複数のブリッジユニットのうちの少なくとも１つのブリッジユニットは、２つの第１部分と、１つの第２部分と、２つの第３部分とを有し、２つの第１部分は、複数の第１電極部に直接接触して複数の第１電極部上に位置し、２つの第３部分は、２つの第１部分の間に位置し、第２部分は、２つの第３部分の間に位置し、第１部分は第１の幅を有し、第２部分は第２の幅を有し、第１の幅が第２の幅より大きい。これにより、ブリッジユニットが異なる幅を有することによって、タッチ表示装置及びタッチパネルの可視性とＲＣ負荷とを両立でき、より良いインピーダンスマッチングを達成することができる。例えば、一実施形態において、ブリッジユニットは、２つの第１部分と、１つの第２部分と、２つの第３部分とを有し、第２部分の第２の幅を比較的小さくすることにより、タッチ表示装置及びタッチ基板に比較的高い可視性をもたらす。一方、第１部分の第１の幅が比較的大きくすることにより、第１タッチパターンのＲＣ負荷を低減することができる。また、第３部分と第１部分との接続幅を、第３部分と第２部分との接続幅より大きくすることにより、第１タッチパターンはインピーダンス整合の効果を得ることができる。
【図面の簡単な説明】
【００２０】
【図１Ａ】本発明の好ましい実施形態に係るタッチ表示装置を示す概略図である。
【図１Ｂ】タッチ表示装置を示す断面概略図である。
【図１Ｃ】図１Ｂに示すタッチ基板を示す平面概略図である。
【図１Ｄ】図１Ｃのタッチ基板において、直線Ａ−Ａに沿った概略断面図である。
【図１Ｅ】図１Ｄの平面概略図である。
【図１Ｆ】本発明の他の実施形態に係るタッチ基板を示す平面概略図である。
【図１Ｇ】本発明の別の実施形態に係るタッチ基板を示す平面概略図である。
【図２】本発明のもう１つの実施形態に係るタッチ表示装置を示す概略断面図である。
【発明を実施するための形態】
【００２１】
以下、本発明の好ましい実施形態に係る表示パネル及び表示装置を例示し、添付図面を参照して詳しく説明する。同一要素には同一符号を付する。また、図面の寸法比率は図示の比率に限られるものではない。
【００２２】
図１Ａ〜図１Ｅを参照する。図１Ａは、本発明の好ましい実施形態に係るタッチ表示装置１を示す概略図である。図１Ｂは、タッチ表示装置１を示す断面概略図である。図１Ｃは、図１Ｂに示すタッチ基板２を示す平面概略図である。図１Ｄは、図１Ｃのタッチ基板２において、直線Ａ−Ａに沿った概略断面図である。図１Ｅは、図１Ｄの平面概略図である。
【００２３】
本実施形態では、説明の便宜上、第１方向Ｘ、第２方向Ｙ及び第３方向Ｚが示されている。第１方向Ｘ、第２方向Ｙ及び第３方向Ｚは、各一対が実質的に互いに直交するようになっているが、これに限定されない。他の実施例では、第１方向Ｘと第２方向Ｙとのなす角度が９０度でなくてもよい。また、本実施形態のタッチ表示装置１は、例えば、スマートフォンであるが、これに限定されない。他の実施形態において、タッチ表示装置１は、タブレットＰＣ、超薄型ノートパソコン、衛星ナビゲーション、又は他のタッチ式電子装置であってもよい。また、タッチ表示装置１は、オンセル型タッチ表示装置又はアウトセル型タッチ表示装置であってもよい。ここでは、アウトセル型タッチ表示装置を例として説明する。
【００２４】
図１Ａ〜図１Ｃに示すように、タッチ表示装置１は、第１基板１１と、複数の第１タッチパターン１２と、複数の第２タッチパターン１３と、複数の絶縁ユニット１４と、第２基板１５と、液晶層１６とを含む。複数の第１タッチパターン１２、複数の第２タッチパターン１３及び複数の絶縁ユニット１４は、タッチパターン層Ｔを構成し、第１基板１１上に配置されてタッチ基板２が形成される。
【００２５】
第１基板１１は、第２基板１５に対向配置され、液晶層１６は、第１基板１１と第２基板１５との間に配置されている。第１基板１１及び第２基板１５は、透光性材料からなり、例えば、ガラス基板、石英基板、プラスチック基板であるが、これらに限定されない。なお、タッチ表示装置１は、薄膜トランジスタアレイ及びカラーフィルタアレイ（図示せず）をさらに含んでもよい。薄膜トランジスタアレイは第２基板１５上に配置されてもよく、カラーフィルタアレイは第１基板１１又は第２基板１５上に配置されてもよい。本実施形態において、薄膜トランジスタアレイは、第２基板１５の第１基板１１に面する側に配置され、カラーフィルタアレイは、第１基板１１の第２基板１５に面する側に配置されることを例として挙げて説明する。しかし、他の実施形態において、第２基板１５がＢＯＡ（ＢＭ  ｏｎ  ａｒｒａｙ）基板又はＣＯＡ（ｃｏｌｏｒ  ｆｉｌｔｅｒ  ｏｎ  ａｒｒａｙ）基板になるように、カラーフィルタアレイ及びフィルタ層を第２基板１５に配置してもよいが、これに限定されない。また、タッチ表示装置１は、バックライトモジュール（Ｂａｃｋｌｉｇｈｔ Ｍｏｄｕｌｅ、図示せず）をさらに含んでもよい。バックライトモジュールは、第２基板１５の第１基板１１から離れた側に配置されている。バックライトモジュールからの光線が第２基板１５、薄膜トランジスタアレイ、液晶層１６、カラーフィルタアレイ及び第１基板１１を通過する際、複数の画素により画像が形成される。
【００２６】
また、タッチ基板２において、複数の第１タッチパターン１２、複数の第２タッチパターン１３及び複数の絶縁ユニット１４は、第１基板１１の第２基板１５から離れた側（第１基板１１の上側表面）に位置している。ここで、複数の第１タッチパターン１２及び複数の第２タッチパターン１３は、第１基板１１の上側表面に形成されたタッチ感知回路（即ち、駆動電極Ｔｘ及び感知電極Ｒｘ）であってもよい。第１タッチパターン１２及び第２タッチパターン１３の材料は、例えば、インジウムスズ酸化物（ＩＴＯ）、インジウム亜鉛酸化物（ＩＺＯ）、アルミニウム亜鉛酸化物（ＡＺＯ）、カドミウムとスズとの酸化物（ＣＴＯ）、酸化スズ（ＳｎＯ２）、又は酸化亜鉛（ＺｎＯ）などの透明導電材料もしくは金属材料であってもよいが、特に限定されない。絶縁ユニット１４の材料は、例えば、酸化シリコン（ＳｉＯｘ）又は窒化シリコン膜（ＳｉＮｘ）であってもよいが、特に限定されない。
【００２７】
以下、図１Ｃ〜図１Ｅを参照してタッチ基板２の構造について詳しく説明する。
タッチ基板２における複数の第１タッチパターン１２は、複数のブリッジユニット１２１と複数の第１電極部１２２とを有し、複数の第１電極部１２２は互いに間隔を置いて配置され、複数のブリッジユニット１２１は、それぞれ、隣接する２つの第１電極部１２２に接続されている。本実施形態において、複数の第１電極部１２２は、第１方向Ｘに沿って間隔を置いて配置され、隣接する２つの第１電極部１２２は、１つのブリッジユニットを介して互いに電気的に接続されている。図１Ｃに示すように、複数の第１電極部１２２と複数のブリッジユニット１２１とが接続されて１つの第１タッチパターン１２が構成され、複数の第１タッチパターン１２は、第２方向Ｙに沿って間隔を置いて配置されている。本実施形態では、第１電極部１２２の材料がＩＴＯであり、ブリッジユニット１２１が金属材料である。
【００２８】
複数の第２タッチパターン１３は、複数の第１タッチパターン１２と交差して配置され、複数の第１タッチパターン１２から電気的に絶縁されている。複数の第２タッチパターン１３は、複数の接続部１３１と複数の第２電極部１３２とを有している。複数の第２電極部１３２は互いに間隔を置いて配置され、複数の第２電極部１３２は、複数の第１電極部１２２と間隔を置いて交互に配置され、複数の接続部１３１のうち１つの接続部１３１は、隣接する２つの第２電極部１３２に接続されている。本実施形態においては、複数の第１電極部１２２と複数の第２電極部１３２とが同一層で形成されている。そして、複数の第２タッチパターン１３は、第１方向Ｘに沿って間隔を置いて配置されている。第２タッチパターン１３は、複数の第１タッチパターン１２とそれぞれ交差し、第１タッチパターン１２は、複数の第２タッチパターン１３とそれぞれ交差している。また、複数の第２電極部１３２は、第２方向Ｙに沿って互いに間隔を置いて配置されている。各接続部１３１は、隣接する２つの第２電極部１３２に接続されている。
【００２９】
複数の絶縁ユニット１４は、複数の接続部１３１に対応してその上に配置され、複数のブリッジユニット１２１は、複数の絶縁ユニット１４上に配置されている。複数のブリッジユニット１２１のうちの少なくとも１つが異なる幅を有している。本実施形態において、ブリッジユニット１２１は、絶縁ユニット１４上に亘って隣接する２の第１電極部１２２に電気的に接続されている。各ブリッジユニット１２１は、第１方向Ｘに沿って延びており、第２方向Ｙの断面が異なる幅を有している。特に、図１Ｃに示す複数の第１タッチパターン１２は、複数の第２タッチパターン１３の延伸方向と略垂直な方向に延伸しているが、これに限定されず、状況に応じて調整することが可能である。なお、第１電極部１２２及び第２電極部１３２の形状は、略菱形状であるが、例えば、円形状、楕円形状、三角形状、矩形状又は他の形状であってもよい。
【００３０】
図１Ｄ及び図１Ｅに示すように、複数のブリッジユニット１２１のうちの少なくとも１つは、２つの第１部分Ｐ１と、１つの第２部分Ｐ２と、２つの第３部分Ｐ３とを有し、２つの第１部分Ｐ１は、複数の第１電極部上に位置するとともに、複数の第１電極部に直接接触して電気的に接続されている。第２部分Ｐ２は絶縁ユニット１４上に位置している。２つの第３部分Ｐ３は、それぞれ、２つの第１部分Ｐ１の間に位置し、第２部分Ｐ２は、２つの第３部分Ｐ３の間に位置している。ブリッジユニット１２１は、第３部分Ｐ３が第１部分Ｐ１と第２部分Ｐ２とに接続されることにより形成されている。本実施形態において、各ブリッジユニット１２１は、２つの第１部分Ｐ１と、１つの第２部分Ｐ２と、２つの第３部分Ｐ３とを有し、第２部分Ｐ２の形状が例えば四角形状であり、第３部分Ｐ３の形状が例えば台形状である。また、第１部分Ｐ１は、第１基板１１に垂直な方向（即ち、第３方向Ｚ）に少なくとも１つの円弧形状を有している。本実施例では、各第１部分Ｐ１が２つの円弧形状を有することを例として説明する。この第１部分Ｐ１の円弧形状によって、ブリッジユニット１２１の静電気放電の可能性を低減することができる。
【００３１】
第１部分Ｐ１の第１方向Ｘに沿った長さは、３０μｍ〜４５μｍの範囲にあり、第３部分Ｐ３の第１方向Ｘに沿った長さは、１．１μｍ〜７．５μｍの範囲にある。なお、２つの第１部分Ｐ１又は２つの第３部分Ｐ３の第１方向Ｘに沿った長さが、同じであっても異なっていてもよい。ここで、２つの第１部分Ｐ１の第１方向Ｘに沿った長さは同じであり、２つの第３部分Ｐ３の第１方向Ｘに沿った長さも同じである。また、第１部分Ｐ１は、第２方向Ｙに第１の幅Ｗ１を有し、第２部分Ｐ２は、第２方向Ｙに第２の幅Ｗ２を有し、第１の幅Ｗ１と第２の幅Ｗ２とが異なる。本実施例において、第１の幅Ｗ１が第２の幅Ｗ２より大きい（Ｗ１＞Ｗ２）。言い換えれば、第３部分Ｐ３と第１部分Ｐ１との接続幅が、第３部分Ｐ３と第２部分Ｐ２との接続幅より大きい。
【００３２】
また、本実施形態において、第１部分Ｐ１は、第１方向Ｘに沿って第１の長さＬ１を有し、第２部分Ｐ２は、第１方向Ｘに沿って第２の長さＬ２を有し、第２の長さＬ２が第１の長さＬ１より大きい（Ｌ２＞Ｌ１）。そして、第３部分Ｐ３は、第１の長さＬ１に実質的に平行な方向（即ち、第１方向Ｘに沿う）に第３の長さＬ３を有し、第１の長さＬ１が第３の長さＬ３より大きい。よって、Ｌ２＞Ｌ１＞Ｌ３となる。さらに、第２の長さＬ２が２つの第１の長さＬ１と２つの第３の長さＬ３との和よりも大きい、即ち、Ｌ２＞［（Ｌ１＋Ｌ１）＋（Ｌ３＋Ｌ３）］である。なお、図１Ｄに示すように、第３部分Ｐ３と第１電極部１２２との間に角度θが形成され、この角度θが１５度〜４０度の範囲にあってもよい。
【００３３】
図１Ｆ及び図１Ｇは、異なる実施形態に係るタッチ基板２ａ，２ｂを示す平面概略図である。
【００３４】
図１Ｆに示すように、本実施形態において、タッチ基板２ａにおける２つの第１部分Ｐ１の平面形状はそれぞれ四角形状である点がタッチ基板２との主な相違点である。
【００３５】
また、図１Ｇに示すように、本実施形態において、タッチ基板２ｂにおける１つの第１部分Ｐ１の平面形状は四角形状であり、もう１つの第１部分Ｐ１の平面形状は円弧形状である点がタッチ基板２との主な相違点である。
【００３６】
なお、タッチ基板２ａ，２ｂのその他の構成は、タッチ基板２と同一であるため説明を省略する。
【００３７】
図２は、本発明のもう１つの実施形態に係るタッチ表示装置１ａを示す概略断面図である。
【００３８】
本実施形態に係るタッチ表示装置１ａは、第３基板１７をさらに含む点がタッチ表示装置１との主な相違点である。第３基板１７は、第１基板１１（又はタッチ基板２）と第２基板１５との間に位置し、液晶層１６は、第２基板１５と第３基板１７との間に挟持されている。複数の第１タッチパターン１２、複数の第２タッチパターン１３及び複数の絶縁ユニット１４によって構成されたタッチパターン層Ｔは、第１基板１１の第３基板１７に面する側に位置している。ここで、本実施形態に係るタッチ表示装置１ａは、アウトセル型タッチ表示装置である。第１基板１１は、例えばガラス基板であり、タッチパターン層Ｔは、第１基板１１の内側表面に直接形成されてもよい。また、第３基板１７は、例えばカラーフィルタアレイを含むカラーフィルタ基板であり、第２基板１５は、例えば薄膜トランジスタアレイを含む薄膜トランジスタ基板である。本実施形態において、第１基板１１は、保護カバーガラス（Ｃｏｖｅｒ  Ｌｅｎｓ）である。しかし、他の実施形態において、第１基板１１の上にもう１つの保護基板を配置してもよいが、特に限定されない。
【００３９】
なお、タッチ表示装置１ａのその他の構成は、タッチ表示装置１と同一であるため説明を省略する。
【００４０】
特に、異なる実施形態において、異なる実施態様のタッチ表示装置を得るために、図２のタッチ基板２の替わりに、タッチ基板２ａ又はタッチ基板２ｂを用いてもよい。
【００４１】
上述したように、本発明によるタッチ表示装置及びタッチ基板において、複数の第１タッチパターンは、第１基板に配置され、複数のブリッジユニットと複数の第１電極部を有し、複数の第１電極部は互いに間隔を置いて配置され、複数のブリッジユニットは隣接する２つの第１電極部に接続され、複数のブリッジユニットのうちの少なくとも１つのブリッジユニットは、２つの第１部分と、１つの第２部分と、２つの第３部分とを有し、２つの第１部分は、複数の第１電極部に直接接触して複数の第１電極部上に位置し、２つの第３部分は、２つの第１部分の間に位置し、第２部分は、２つの第３部分の間に位置し、第１部分は第１の幅を有し、第２部分は第２の幅を有し、第１の幅が第２の幅より大きい。これにより、ブリッジユニットが異なる幅を有することによって、タッチ表示装置及びタッチパネルの可視性とＲＣ負荷とを両立でき、より良いインピーダンスマッチングを達成することができる。例えば、一実施形態において、ブリッジユニットは、２つの第１部分と、１つの第２部分と、２つの第３部分とを有し、第２部分の第２の幅を比較的小さくすることにより、タッチ表示装置及びタッチ基板に比較的高い可視性をもたらす。一方、第１部分の第１の幅が比較的大きくすることにより、第１タッチパターンのＲＣ負荷を低減することができる。また、第３部分と第１部分との接続幅を、第３部分と第２部分との接続幅より大きくすることにより、第１タッチパターンはインピーダンス整合の効果を得ることができる。
【００４２】
上記実施形態は例示であり、本発明の特許請求の範囲に記載された技術的思想と、実質的に同一の構成を有し、同様な作用効果を奏するものは、いかなる場合であっても本発明の技術的範囲に包含される。
【符号の説明】
【００４３】
１、１ａ…タッチ表示装置
１１…第１基板
１２…第１タッチパターン
１２１…ブリッジユニット
１２２…第１電極部
１３…第２タッチパターン
１３１…接続部
１３２…第２電極部
１４…絶縁ユニット
１５…第２基板
１６…液晶層
１７…第３基板
２、２ａ、２ｂ…タッチ基板
Ａ−Ａ…直線
Ｌ１…第１の長さ
Ｌ２…第２の長さ
Ｌ３…第３の長さ
Ｐ１…第１部分
Ｐ２…第２部分
Ｐ３…第３部分
Ｔ…タッチパターン層
Ｗ１…第１の幅
Ｗ２…第２の幅
Ｘ…第１方向
Ｙ…第２方向
Ｚ…第３方向
θ…角度
【図１Ｃ】
2016001460.tif 000003
【図１Ａ】
2016001460.tif 000004
【図１Ｂ】
2016001460.tif 000005
【図１Ｄ】
2016001460.tif 000006
【図１Ｅ】
2016001460.tif 000007
【図１Ｆ】
2016001460.tif 000008
【図１Ｇ】
2016001460.tif 000009
【図２】
2016001460.tif 000010